(57)【特許請求の範囲】
【請求項１】
電子部品を搭載した制御基板を基板ボックスに収納した制御装置を備える遊技機において、
前記基板ボックスは、
第１ボックス構成部材と、
第２ボックス構成部材と、
前記第１ボックス構成部材及び前記第２ボックス構成部材を固着する固着部と、を備え、
前記制御装置は、
前記固着部を被覆する固着部被覆部材と、
アンテナ部と、前記アンテナ部を介してデータを送受信するとともに固有の識別情報を記憶するＩＣチップとを有するＩＣタグと、を備え、
前記固着部は、少なくとも２つ形成され、
前記固着部被覆部材は、
前記制御装置にネジ止めするための取付ネジが取り付けられる取付孔部と、
前記少なくとも２つの固着部を被覆するとともに、破断される被破断部を具備する被覆部と、
を備え、
前記被破断部は、破断されることで前記少なくとも２つの固着部が露出されるように配設されており、
前記ＩＣタグは、
前記固着部被覆部材の取付孔部を被覆するとともに、前記固着部被覆部材の破断に伴って前記アンテナ部が破断されるように前記固着部被覆部材に配設されていることを特徴とする遊技機。
【請求項２】
前記被覆部は、
前記被破断部を複数具備するとともに、前記複数の被破断部の各々に対して、各被破断部と当該被破断部以外の部分とを接続する被破断部接続部が４つずつ設けられ、
前記複数の被破断部接続部どうしの間には、破断用隙間部が介在されていることを特徴とする請求項１に記載の遊技機。
【発明の詳細な説明】
【技術分野】
【０００１】
本発明は、制御装置を備える遊技機に関する。
【背景技術】
【０００２】
従来、遊技機の制御装置は、基板ボックスに基板が収納されてなり、基板の制御素子を偽造されたものにすり替える不正を防止する上で、基板ボックスに固有の識別情報を記憶したＩＣタグを取り付けたものが知られている。この制御装置にあっては、制御素子をすり替えようとして基板ボックスを開放すると、アンテナが破断することによりＩＣタグが壊れ、不正した痕跡が残ってしまうことにより不正を防止しようとしている（例えば、特許文献１参照）。
【特許文献１】特開２００４−１７４１１２号公報
【発明の開示】
【発明が解決しようとする課題】
【０００３】
しかしながら、上記の制御装置では、不正を行った痕跡はＩＣタグのアンテナの破断だけであるため目視し難いといった問題があった。そのため、基板ボックスの固着にワンウェイネジを使用したかしめ構造も併用することが望ましい。
ところで、上記の制御装置において、ＩＣタグ貼付部分以外にかしめ部を設けても、ワンウェイネジのネジ頭部に電気ドリル等で穴を開けられ、その穴を利用してネジが回転させられてしまい、これにより、かしめ部を切断することなく基板ボックスのＩＣタグ貼付部分を回動中心にして当該基板ボックスのカバー部材が回動させられてしまう。このため、かしめ部にＩＣタグを取り付けることが望ましいが、かしめ部の表面には凹凸があり、ＩＣタグの取り付けを適正に行うことができないといった問題がある。
【０００４】
そこで、本発明は、上記事情に鑑みてなされたものであって、制御装置の基板ボックスにＩＣタグを適正に取り付けることができ、当該基板ボックスに対する不正を防止することができる遊技機を提供することを目的とする。
【課題を解決するための手段】
【０００５】
以上の課題を解決するため、請求項１に記載の発明は、
電子部品を搭載した制御基板を基板ボックスに収納した制御装置を備える遊技機において、
前記基板ボックスは、
第１ボックス構成部材と、
第２ボックス構成部材と、
前記第１ボックス構成部材及び前記第２ボックス構成部材を固着する固着部と、を備え、
前記制御装置は、
前記固着部を被覆する固着部被覆部材と、
アンテナ部と、前記アンテナ部を介してデータを送受信するとともに固有の識別情報を記憶するＩＣチップとを有するＩＣタグと、を備え、
前記固着部は、少なくとも２つ形成され、
前記固着部被覆部材は、
前記制御装置にネジ止めするための取付ネジが取り付けられる取付孔部と、
前記少なくとも２つの固着部を被覆するとともに、破断される被破断部を具備する被覆部と、
を備え、
前記被破断部は、破断されることで前記少なくとも２つの固着部が露出されるように配設されており、
前記ＩＣタグは、
前記固着部被覆部材の取付孔部を被覆するとともに、前記固着部被覆部材の破断に伴って前記アンテナ部が破断されるように前記固着部被覆部材に配設されていることを特徴としている。
【０００６】
請求項１に記載の発明によれば、固有の識別情報を記憶するＩＣチップを有するＩＣタグは、固着部を被覆する固着部被覆部材の少なくとも一部を被覆するとともに、固着部被覆部材の破断に伴ってアンテナ部が破断されるように固着部被覆部材に配設されているので、固着部の表面に凹凸があっても制御装置に対してＩＣタグを適正に取り付けることができる。
また、固着部に対する不正に対しては、固着部を被覆する固着部被覆部材及びＩＣタグにより不正し難くすることができ、不正しようとして固着部被覆部材を破断するとＩＣタグのアンテナ部が破断されるため不正の証拠を目視し易くなる。これにより、基板ボックスに対する不正を防止することができる。
さらに、ＩＣタグは、制御装置に固着部被覆部材をネジ止めするための取付ネジが取り付けられる取付孔部を被覆するように配設されているので、固着部被覆部材のみを制御装置から外そうとしても取付孔部を被覆するＩＣタグのアンテナ部が破断してしまうため、基板ボックスに対する不正を適正に防止することができる。
さらにまた、固着部被覆部材は、少なくとも２つの固着部を被覆するとともに、破断される被破断部を具備する被覆部を備え、被破断部は、破断されることで少なくとも２つの固着部が露出されるように配設されているので、遊技制御基板の検査等のために基板ボックスを開放する場合に、被破断部が破断されることで制御装置の２つの固着部、即ち、現に当該基板ボックスの固着に供されている一の固着部と、固着解除後にその次の固着に供されることとなる他の固着部を露出させることができる。つまり、一回の被破断部の破断作業で一の固着部の固着解除準備と他の固着部の固着準備を行うことができ、当該基板ボックスの開放固着作業を効率良く行うことができる。
【００１１】
請求項２に記載の発明は、請求項１に記載の遊技機において、
前記被覆部は、
前記被破断部を複数具備するとともに、前記複数の被破断部の各々に対して、各被破断部と当該被破断部以外の部分とを接続する被破断部接続部が４つずつ設けられ、
前記複数の被破断部接続部どうしの間には、破断用隙間部が介在されていることを特徴としている。
【００１２】
請求項２に記載の発明によれば、被覆部は、被破断部を複数具備するとともに、複数の被破断部の各々に対して、各被破断部と当該被破断部以外の部分とを接続する被破断部接続部が４つずつ設けられ、複数の被破断部接続部どうしの間には、破断用隙間部が介在されているので、各被破断部の破断に際して、４つの被破断部接続部を切断するだけで良くなり、被破断部の破断作業を簡便なものとして当該基板ボックスの開放作業を効率良く行うことができる。
【発明の効果】
【００１３】
本発明によれば、固着部の表面に凹凸があっても制御装置に対してＩＣタグを適正に取り付けることができる。また、固着部に対する不正に対しては、固着部を被覆する固着部被覆部材及びＩＣタグにより不正し難くすることができ、不正しようとして固着部被覆部材を破断するとＩＣタグのアンテナ部が破断されるため不正の証拠を目視し易くなる。これにより、基板ボックスに対する不正を防止することができる。
さらに、ＩＣタグは、制御装置に固着部被覆部材をネジ止めするための取付ネジが取り付けられる取付孔部を被覆するように配設されているので、固着部被覆部材のみを制御装置から外そうとしても取付孔部を被覆するＩＣタグのアンテナ部が破断してしまうため、基板ボックスに対する不正を適正に防止することができる。
さらにまた、固着部被覆部材は、少なくとも２つの固着部を被覆するとともに、破断される被破断部を具備する被覆部を備え、被破断部は、破断されることで少なくとも２つの固着部が露出されるように配設されているので、遊技制御基板の検査等のために基板ボックスを開放する場合に、被破断部が破断されることで制御装置の２つの固着部、即ち、現に当該基板ボックスの固着に供されている一の固着部と、固着解除後にその次の固着に供されることとなる他の固着部を露出させることができる。つまり、一回の被破断部の破断作業で一の固着部の固着解除準備と他の固着部の固着準備を行うことができ、当該基板ボックスの開放固着作業を効率良く行うことができる。
【発明を実施するための最良の形態】
【００１４】
以下、この発明の実施形態について図面を参照して説明する。
ここでは、本発明にかかる遊技機１００の適例としてのパチンコ遊技機１００について図１〜図８を用いて説明を行う。
【００１５】
図１は、本発明を適用した一実施形態の遊技機１００に備わる遊技盤１の一部を示す背面図であり、取付ベース２に取り付けられた演出制御装置３及び遊技制御装置１０を示す。
本実施形態の遊技機１００は、矩形枠状に構成された機枠（図示略）を備え、この機枠の前方に該機枠に対し回動可能に矩形枠状の前面枠（図示略）が軸支されており、前面枠の背面側には、当該前面枠に形成された開口部から前側に臨むように遊技盤１が取り付けられている。
そして、遊技盤１の背面側には、各種部材が取り付けられる取付ベース２が設けられ、取付ベース２の上側に、表示ユニットを制御する演出制御装置３が取付けられ、その下側に、当該遊技盤１に設けた遊技装置の動作制御などを行うことで遊技の進行を統括的に制御する遊技制御装置１０（詳細後述）が基板ホルダ６０を介して取り付けられている。
【００１６】
なお、前面枠の前面側には、図示は省略するが、前側を覆うようにクリア部材保持枠が配置されている。そして、遊技盤１の前面とクリア部材保持枠に嵌め込まれたクリア部材としてのガラス板との間であって、遊技盤１の前面に設けられたガイドレール（図示略）に囲まれた部分が、遊技球が発射されて流下する遊技領域（図示略）とされ、この遊技領域内に遊技球（打球；遊技媒体）を発射して遊技を行うようになっている。
また、前面枠の前面側のクリア部材保持枠の下側に取り付けられた発射操作ユニット（図示略）は、排出された遊技球を貯留するとともに、遊技球を発射する発射装置に遊技球を送る上皿と、上皿に収容しきれない遊技球を収容する下皿及び灰皿と、遊技領域に向けての遊技球の発射操作を行うとともに、発射勢を調節するための操作ハンドルなどが設けられている。
【００１７】
また、前面枠の背面側には、遊技機１００としての諸機能を実現するための機構として、例えば、島設備より供給される遊技球を貯留する貯留タンク（図示略）や、球貸要求に応じた球排出や賞球排出を行う排出装置（図示略）、遊技盤１に設けられた各種入賞口へ入賞して回収された遊技球や何れの入賞口にも入賞せずにアウト口から回収された遊技球を機外の回収球搬送路へ導く遊技球回収機構（図示略）、球排出や打球の発射制御を行う排出・発射制御装置（図示略）、各部へ所定の電源を供給する電源装置（図示略）などが設けられている。
【００１８】
以下に、遊技制御装置１０について図２〜図８を参照して詳細に説明する。
遊技制御装置１０は、遊技機１００の制御を行う遊技制御基板（図示略）を基板ボックス１２に収納したものであって、取付ベース２に回動自在に軸着された基板ホルダ６０に保持されて遊技盤１の背面側に取り付けられている。
なお、遊技制御装置１０は遊技盤１の背面に取り付けられ、該遊技盤１が前面枠に取り付けられることで、遊技機１００の背面側から視認可能に配されている。よって、以下の説明では、図１に示すように、遊技機１００の背面側に配された遊技制御装置１０を遊技機１００の背面側から見た状態を基準として、遊技機１００の背面側から視認可能な面を前面（正面）、遊技盤１に取り付けられた側を後面とし、上下左右も遊技機１００の背面側から見た状態での上下左右とする。
【００１９】
先ず、基板ホルダ６０について説明する。
基板ホルダ６０は、例えば、透光性の合成樹脂で形成されており、基板ボックス１２が保持されるホルダ本体部６１と、ホルダ本体部６１の左側に設けられた２つの回動軸６２、６２等を備えている。
【００２０】
２つの回動軸６２、６２は、上下に並んで配設されている。各回動軸６２は、上下方向に対して略平行に延在して形成され、取付ベース２の軸受部２９に軸着されることで、取付ベース２に対して上下方向の軸周りに回動自在に取付けられる。
【００２１】
ホルダ本体部６１は、上下方向及び左右方向に対して略平行に延在する板状に形成され、その後面には補強用のリブ（図示略）が上下左右に複数形成されている。
また、ホルダ本体部６１の右側部分には、中継基板４が取り付けられる中継基板取付部６３が設けられている。そして、中継基板取付部６３と回動軸６２の間の部分が、基板ボックス１２が取り付けられるボックス取付部６４となっている。
【００２２】
ボックス取付部６４の左右方向に延在する上下縁部には、基板ボックス１２の第２ボックス構成部材４０に形成されたスライド係合部４１（後述）と対応する位置に、スライド係合部４１を受け入れるスライド係合受部６４１が形成されている。
スライド係合受部６４１の各々は、当該ボックス取付部６４の前面から前側に突出するように形成され、基板ボックス１２側に開口した断面略「コ」字状の側壁部と、この側壁部の前端の右側部分に連続して形成され、当該右側部分のみを覆う右側被覆部とを備えている。
即ち、側壁部の前端の左側部分は、スライド係合部４１を受け入れるための開口部となっており、この開口部を介して当該スライド係合受部６４１の内側に配されたスライド係合部４１は相対的に右方向に移動することにより、右側被覆部により抜け止めされた状態でスライド係合受部に係合する。
これにより、基板ボックス１２が基板ホルダ６０に取り付けられるようになっている。
【００２３】
ボックス取付部６４の右端部には、基板ボックス１２の挿入係合部４３と対応する位置に、挿入係合部４３を受け入れる挿入係合受部（図示略）が上下に並んで形成されている。
挿入係合受部は、外形が略直方体状に形成され、左側に向けて開口した略矩形状の開口部を有している。そして、基板ホルダ６０に対して基板ボックス１２を相対的に右方向へスライドさせることにより、挿入係合受部に開口部を介して挿入係合部４３が挿入される。
これによっても基板ボックス１２が基板ホルダ６０に取り付けられるようになっている。
【００２４】
挿入係合受部の外側、即ち、上側の挿入係合受部よりも上側及び下側の挿入係合受部よりも下側には、当該基板ボックス１２を基板ホルダ６０に対してネジ止めするための取付ネジ（図示略）が下側ネジ孔部２８８及び上側ネジ孔部２８９のネジ孔２８ａを介して挿通されるネジ穴が形成された螺合部（図示略）が配設されている。
【００２５】
螺合部は、前後方向に延在して前側になるにつれて縮径される円錐台形状に形成され、略中央部に取付ネジが挿入されるネジ穴が前後方向に沿って穿設されている。
螺合部の延出長は、下側ネジ孔部２８８及び上側ネジ孔部２８９に形成された各ネジ孔２８ａの下面よりも低くなる程度となっており、基板ホルダ６０に基板ボックス１２が取り付けられた状態で下側ネジ孔部２８８及び上側ネジ孔部２８９のネジ孔２８ａの下側に螺合部が配置される。即ち、基板ホルダ６０に対して基板ボックス１２を相対的に右方向へスライドさせることにより、下側ネジ孔部２８８及び上側ネジ孔部２８９の切欠部２８ｂで螺合部を案内しながら右方向に移動していき、切欠部２８ｂの奥側の湾曲した部分が螺合部に当接することで基板ボックス１２のスライドが停止して、下側ネジ孔部２８８及び上側ネジ孔部２８９のネジ孔２８ａの中心軸が螺合部のネジ穴の中心軸と前後にほぼ重なる位置に配置された状態となる。
【００２６】
ボックス取付部６４の左側部には、基板ボックス１２の左端部に係合して当該ボックス取付部６４からの取り外しを規制する係止部６７が設けられている。
係止部６７は、当該ホルダ本体部６１と一体となって形成され、可撓性を有している。具体的には、係止部６７は、ボックス取付部６４の左側部の上下方向の中央やや下寄りの位置に設けられ、基板ボックス１２の左端部に係合する係合爪がホルダ本体部６１と略同方向に延在する延在部の先端部（左端部）に設けられている。
【００２７】
基板ボックス１２は、遊技制御装置１０の前面側を構成するとともに遊技制御基板を収納する第１ボックス構成部材２０と、後面側を構成する第２ボックス構成部材４０とを備え、第１ボックス構成部材２０と第２ボックス構成部材４０は正面視にて右側側部に設けられた固着部７０（図３参照）により固着されている。
これにより、遊技制御基板が基板ボックス１２に完全に内包された状態となり、遊技制御基板に対する不正行為を防止するようになっている。
【００２８】
遊技制御基板は、図示は省略するが、外形が略矩形状の基板であって、前面には他の装置と接続するための複数のコネクタ１３、…が設けられているとともに、図示しないＣＰＵ、ＲＯＭ、ＲＡＭ内蔵のワンチップＩＣ等の電子部品が配されている。この遊技制御基板においては、例えば、大当たりの抽選や、遊技の進行制御などの遊技に関する種々の処理がなされるようになっており、このような制御を行う遊技制御基板に対する不正行為を防止するために、遊技制御基板は基板ボックス１２に収納されている。
【００２９】
第１ボックス構成部材２０は、例えば、透光性の合成樹脂で形成されており、内部に収納した遊技制御基板を視認可能となっている。また、第１ボックス構成部材２０は、遊技制御基板の外形に対応させて略矩形枠状に連結された４つの側壁部２２、…と、各側壁部２２の前端部に連続して形成され、４つの側壁部２２、…とともに収納凹部２３を形成する前面壁２１とを具備し、収納凹部２３内に遊技制御基板がネジ止め等により取付固定されている。
【００３０】
収納凹部２３は、前面側に膨らんで内側に遊技制御基板を収納するものであり、遊技制御基板のコネクタ１３、…が設けられた部分に合わせて、遊技制御基板と対向する前面壁２１の一部分が後面側に凹んで段部２４、…が形成されている。また、段部２４、…にはコネクタ１３が挿通されるコネクタ挿通開口部２５、…が設けられている。
このコネクタ挿通開口部２５、…に、基板ボックス１２に収納された遊技制御基板のコネクタ１３、…が挿入されて遊技制御装置１０の前面側に露出するようになっており、これによって遊技制御基板への配線が可能となっている。
また、コネクタ１３、…がコネクタ挿通開口部２５、…に挿入されることで、遊技制御基板は上下左右方向への移動が規制されるようになり、さらには、段部２４、…に遊技制御基板の前面が当接し、遊技制御基板の前方への移動が規制される。即ち、段部２４、…及びコネクタ挿通開口部２５、…は、第１ボックス構成部材２０に対する遊技制御基板の位置決めを行う機能も有する。
なお、遊技制御基板に設けるコネクタ１３、…は一部分に集中させないで、複数箇所に分散して設けられており、遊技制御基板が適切な位置に確実に保持されるようにされている。
【００３１】
また、４つの側壁部２２、…のうち、上下の側壁部２２、２２における外側の面には、当該側壁部２２に対して垂直に外側に突出する直方体状のボックススライド係合部（図示略）が複数形成されている。
ボックススライド係合部は、第２ボックス構成部材４０に形成されたボックススライド係合受部４６と係合可能であり、これにより第１ボックス構成部材２０と第２ボックス構成部材４０とが接合されるようになっている。
【００３２】
また、４つの側壁部２２、…のうち、左側の側壁部２２における外側の面には、当該側壁部２２に対して垂直に外側に突出する直方体状の第１挿入係合部（図示略）が形成されている。
第１挿入係合部は、第２ボックス構成部材４０に形成された第２挿入係合受部４７に挿入されることで係合し、これによっても第１ボックス構成部材２０と第２ボックス構成部材４０とが接合されるようになっている。
【００３３】
また、上側の側壁部２２における外側の面には、第２ボックス構成部材４０に形成された係止片４８と係合可能な係止部材２７が設けられており、これによって第１ボックス構成部材２０と第２ボックス構成部材４０を接合した状態で保持できるようになっている。
【００３４】
また、右側の側壁部２２には、外側に向かって突出されたかしめ部配設部２８が形成されている。
かしめ部配設部２８は、右側の側壁部２２の上下方向のやや内側の位置から右側に突出するように形成されている。
具体的には、かしめ部配設部２８は、上側面部２８１及び下側面部２８２と、下側面部２８２の前端部に連続して設けられた前側広面部２８３と、上側面部２８１の前端部に連続して設けられた前側狭面部２８４と、前側広面部２８３の上側部分、即ち、かしめ部配設部２８の上下方向の略中央部の右側端部に連続して設けられた右側中面部２８５と、右側中面部２８５よりも下側に前側広面部２８３の上側部分及び下側面部２８２に連続して設けられた右側下面部２８６と、右側中面部２８５よりも上側に上側面部２８１に連続して設けられた右側上面部２８７と、右側中面部２８５から右側に延設された連結部３１、…（図３参照）を介して設けられた４つのかしめ部３０、…と、右側下面部２８６から右側に延設されネジ孔２８ａを具備する下側ネジ孔部２８８と、右側上面部２８７から右側に延設されネジ孔２８ａを具備する上側ネジ孔部２８９とを備えている。
【００３５】
上側面部２８１及び下側面部２８２は、前後方向及び左右方向に対して略平行に延在するように配設されている。下側面部２８２の前後方向の長さは、収納凹部２３の高さ（深さ）と略等しくなっている。
前側広面部２８３は、収納凹部２３の前面壁２１と略面一となるように上下方向及び左右方向に対して略平行に延在するように配設されている。
前側狭面部２８４は、前側広面部２８３よりもわずかに低くなるように段差をつけて配置され、前後方向及び左右方向に対して略平行に延在するように配設されている。
【００３６】
右側中面部２８５、右側下面部２８６及び右側上面部２８７は、前後方向及び上下方向に対して略平行に延在するように配設されている。
また、右側中面部２８５には、固着部カバー８０（固着部被覆部材；後述）を取り付けるための取付ネジ１１０（図３参照）が螺子込まれるネジ穴２８ｃが２つ形成されている。
【００３７】
２つのネジ穴２８ｃ、２８ｃは、所定間隔を空けて上下に並設され、例えば、４つのかしめ部３０、…のうち、外側２つのかしめ部３０、３０よりもそれぞれ内側に配設されている。
【００３８】
下側ネジ孔部２８８及び上側ネジ孔部２８９に形成された各ネジ孔２８ａは、当該基板ボックス１２が基板ホルダ６０に対してネジ止めされる際に基板ホルダ６０の螺合部（後述）に螺子込まれる取付ネジが挿通されるものである。
なお、下側ネジ孔部２８８及び上側ネジ孔部２８９の後面側には、螺合部の中心軸がネジ孔２８ａの中心軸と前後方向にほぼ重なる位置まで螺合部を案内するように、右側端面から左側に切りかかれた切欠部２８ｂが形成されている。
【００３９】
４つのかしめ部３０、…は、上下方向に所定間隔を空けて配設された４つの連結部３１、…を介して右側中面部２８５と接続されている。各かしめ部３０は、外形が前後方向に延在する円筒状に形成され、略中央部に第１ボックス構成部材２０と第２ボックス構成部材４０を固着する際にワンウェイネジ９が挿通されるネジ孔（図示略）が前後方向に沿って穿設されている。ここで、ワンウェイネジ９とは、締める方向にしか回すことができないネジである。
また、かしめ部３０は、ワンウェイネジ９及び第２ボックス構成部材４０のかしめ受部５０（後述）とともに固着部７０を構成している。
【００４０】
なお、かしめ部３０は、その後端のネジ孔よりも右側部分が左側部分に対して後側に突出されており、当該かしめ部３０と接合するかしめ受部５０を右側から覆うようになっている。これにより、かしめ部３０とかしめ受部５０の接合部分に工具等を差し込んで当該基板ボックス１２を開放する不正行為を抑制することができる。
【００４１】
各連結部３１は、各かしめ部３０の外周面と右側中面部２８５とを個別に繋ぐものである。
【００４２】
第２ボックス構成部材４０は、例えば、透光性の合成樹脂で形成されており、内部に収納した遊技制御基板を視認可能となっている。また、第２ボックス構成部材４０は、遊技制御装置１０の後面をなす略矩形状の後面壁（図示略）と、該後面壁の周囲を囲むように前側に略垂直に突出した周囲壁４２とを有し、周囲壁４２の内側に第１ボックス構成部材２０の側壁部２２が配設される。
【００４３】
後面壁の前面であって上側の周囲壁４２のすぐ下側には、当該周囲壁４２と平行なリブ状の上部案内壁（図示略）が形成され、上側の側壁部２２が左右方向にスライド可能に嵌合するスライド溝が形成されている。
また同様に、下側の周囲壁４２のすぐ上側には、当該周囲壁４２と平行なリブ状の下部案内壁（図示略）が形成され、下側の側壁部２２が左右方向にスライド可能に嵌合するスライド溝が形成されている。
【００４４】
上下の周囲壁４２、４２における外側の面には、第１ボックス構成部材２０に形成されたボックススライド係合部（図示略）と対応する位置に、各ボックススライド係合部を受け入れるボックススライド係合受部４６、…が形成されている。
ボックススライド係合受部４６、…の各々は、上下の周囲壁４２、４２に形成されたＬ字状のスリット（図示略）と、該スリットが形成された部分の外側を覆うカバー部とからなる。
スリットは、周囲壁４２の前端に一端部が位置しており、ここから前後方向に沿って後方へ延在し、さらに直角に左方へ屈折して左右方向に沿って延在するように形成されている。そして、周囲壁４２の前端に位置する一端部が、ボックススライド係合部を受け入れる受入部とされ、スリットの外側を覆うカバー部にも、この部分に切欠状の開口が形成されている。
【００４５】
また、上下の周囲壁４２、４２における外側の面には、周囲壁４２に対して略垂直に外側に突出して、基板ホルダ６０のスライド係合受部６４１と係合する直方体状のスライド係合部４１（図３参照）が複数（例えば、上下２個ずつ）形成されている。
【００４６】
左側の周囲壁４２には、第１ボックス構成部材２０に形成された第１挿入係合部（図示略）と対応する位置に、該挿入係合部を受け入れる２つの第２挿入係合受部４７、４７が形成されている。
そして、第１ボックス構成部材２０と第２ボックス構成部材４０とを組み合わせた状態で第１ボックス構成部材２０を左方向へスライドすることにより、第２挿入係合受部４７に第１挿入係合部が挿入されるようになっている。
【００４７】
また、上側の周囲壁４２における外側の面には、第１ボックス構成部材２０に設けられた係止部材２７と対応する位置に係止片４８が形成されている。
係止片４８は、外側へ向かって突出する突条であって、右側面が左側へ向かって周囲壁４２からの突出量が増加する斜面とされ、左側面は周囲壁４２に対して垂直な面とされている。そして、係止片４８に係止部材２７が係止することによって、後述するように、第１ボックス構成部材２０と第２ボックス構成部材４０とが接合した状態が保持される。
【００４８】
また、右側の周囲壁４２の外側の面には、第１ボックス構成部材２０に設けられたかしめ部３０、…に対応するように４つのかしめ受部５０、…がそれぞれ第２ボックス構成部材４０から延設された接続部４９（図３参照）を介して配設されている。
【００４９】
かしめ受部５０、…は、外形が前後方向に延在する円柱状に形成され、略中央部に第１ボックス構成部材２０と第２ボックス構成部材４０を固着する際にワンウェイネジ９が螺子込まれるネジ穴（図示略）が当該かしめ受部５０の前端面から前後方向に沿って穿設されている。
また、かしめ受部５０は、第１ボックス構成部材２０と第２ボックス構成部材４０とを接合させることによってかしめ部３０、…と対向配置され、かしめ部３０のネジ孔とかしめ受部５０のネジ穴が連通された状態となる。
【００５０】
また、右側の周囲壁４２の外側の面のかしめ受部５０の上下両側には、当該周囲壁４２に対して略垂直に外側に突出して基板ホルダ６０の挿入係合受部に挿入される直方体状の挿入係合部４３（図３参照）が形成されている。
【００５１】
上下の周囲壁４２、４２は、かしめ部配設部２８の上側面部２８１及び下側面部２８２よりも広い間隔を空けて配設されている。また、左右の周囲壁４２、４２は、当該周囲壁４２の内側にスライドさせるようにして取り付けられる第１ボックス構成部材２０のスライド量を考慮して、第１ボックス構成部材２０の左右の側壁部２２、２２よりも広い間隔を空けて配設されている。
これにより、第１ボックス構成部材２０と第２ボックス構成部材４０が接合された状態で、右側の周囲壁４２は、第１ボックス構成部材２０の右側の側壁部２２よりも右側に配置されるとともに、上下の周囲壁４２、４２は、ボックスかしめ部配設部２８の上側面部２８１及び下側面部２８２よりも外側に配置される。
【００５２】
４つのかしめ部３０、…には、予めワンウェイネジ９が仮止めされている。そして、４つのかしめ部３０、…の何れかに仮止めされているワンウェイネジ９がかしめ部３０のネジ孔と当該ネジ孔に対向配置されたかしめ受部５０のネジ穴に螺子込まれることで第１ボックス構成部材２０と第２ボックス構成部材４０が固着されている。
即ち、ワンウェイネジ９によるかしめ部３０とかしめ受部５０の固着を解除するためには、当該固着部７０のかしめ受部５０の接続部４９、若しくはかしめ部３０の連結部３１を切断する必要があるため、固着部７０は、痕跡が残るような方法でのみ固着解除可能とされている。
なお、かしめ部３０の前面は、ワンウェイネジ９のネジ頭部が露出しないようにキャップ３３により封止されている。
【００５３】
基板ボックス１２の右側端部には、図３に示すように、４つの固着部７０、…を被覆する固着部カバー８０が配設され、この固着部カバー８０の少なくとも一部を被覆するようにＩＣタグ９０が配設されている。
【００５４】
固着部カバー８０は、基板ボックス１２の第１ボックス構成部材２０に螺着されて上側ネジ孔部２８９と下側ネジ孔部２８８の間に配されるものであり、取付孔部８１ａが配設された取付板部８１と、固着部７０を被覆する被覆部８２と、かしめ受部５０よりも奥側に配置されて当該かしめ受部５０と係止するかしめ係止板部８３を備えている。
【００５５】
取付板部８１は、前後方向及び上下方向に対して略平行に延在する略矩形状に形成され、２つの取付孔部８１ａ、８１ａ（図５参照）が所定間隔を空けて上下に並設されている。
取付孔部８１ａは、第１ボックス構成部材２０の右側中面部２８５のネジ穴２８ｃの位置に合わせて、取付板部８１を左右方向に貫通して形成されている。
ここで、取付孔部８１ａの配置は、上述したものに限られるものではないが、不正防止の観点からは、基板ボックス１２に固着部カバー８０が取り付けられた状態で、かしめ部３０によって直接視認し難い位置であって、当該取付板部８１の上下方向のより中央部に近い位置に配されるのが望ましい。これにより、当該固着部カバー８０の上下方向の端部側、即ち、４つのかしめ部３０、…の外側（脇）からドライバー等を挿入して取付ネジ１１０を回転させる不正をし難くすることができる。
【００５６】
被覆部８２は、取付板部８１の前側の端部に連続して形成され、上下方向に略直交する断面が略「コ」字状に形成されている。具体的には、被覆部８２は、取付板部８１の前端部に連設された前側板部８２１と、この前側板部８２１の右端部に連設された右側板部８２２と、この右側板部８２２の後端部に連設された後側板部８２３とを備えている。
【００５７】
前側板部８２１及び後側板部８２３は左右方向及び上下方向に対して略平行に配設され、右側板部８２２は、前側板部８２１及び後側板部８２３に対して略直交するように配設されている。
また、前側板部８２１、右側板部８２２及び後側板部８２３の上下方向の長さは、４つの固着部７０、…の上下方向の長さと等しいか、或いはそれよりも長くなっている。ここで、前側板部８２１、右側板部８２２及び後側板部８２３の上下方向の長さは、当該固着部カバー８０の脇からのドライバーの挿入といった不正を防止する観点からは、上端部が上側ネジ孔部２８９の下端部近傍まで延出され、且つ、下端部が下側ネジ孔部２８８の上端部近傍まで延出される程度とされるのが好ましい。
【００５８】
また、被覆部８２には、遊技制御基板の検査等のために基板ボックス１２を開放する場合に、当該固着部カバー８０から破断される被破断部８４が３つ設けられている。つまり、３つの被破断部８４、…は、当該被破断部８４以外の部分とともに被覆部８２を構成してなり、これら３つの被破断部８４、…は、上下方向に沿って並設され、上下方向に略直交する断面が左側に開口した略「コ」字状に形成されている。
【００５９】
また、３つの被破断部８４、…の各々は、当該被破断部８４以外の部分と４つの被破断部接続部８５を介して接続されている。
具体的には、図５等に示すように、最も上側の被破断部８４の右側板部構成部は、右側板部８２２の上端の前後両側部と２つの第１被破断部接続部８５１、８５１を介して接続されるとともに、真ん中の被破断部８４の上端の前後両側部と２つの第２被破断部接続部８５２、８５２を介して接続されている。
また、これら被破断部接続部８５どうしの間には、それぞれスリット（破断用隙間部）８６が介在されている。即ち、右側板部８２２には、上側の２つの被破断部接続部８５１、８５１どうし及び下側の２つの被破断部接続部８５２、８５２どうしの間に介在された前後方向に長尺な略矩形状の２つの右側第１及び第２スリット８６１ａ、８６１ｂが設けられ、前側板部８２１には、前側の上下２つの被破断部接続部８５１、８５２どうしの間に介在された略「コ」字状の前側第１スリット８６２が設けられ、後側板部８２３には、後側の上下２つの被破断部接続部８５１、８５２どうしの間に介在された略「コ」字状の後側第１スリット８６３（図５参照）が設けられている。
なお、最も上側の被破断部８４の右側板部構成部には、上側の取付孔部８１ａの位置に合わせて、当該取付孔部８１ａに螺着される取付ネジ１１０が挿通されるネジ挿通孔部８４ａが形成されている。
【００６０】
また、最も上側の被破断部８４は、４つの固着部７０、…のうち、上側から２つの固着部７０、７０を被覆するように配設されている。即ち、当該被破断部８４が被覆部本体から破断された状態では、上側から２つの固着部７０、７０が露出されるようになっている（図６〜図８参照）。
これにより、基板ボックス１２を開放する場合に、ワンウェイネジ９が螺子込まれて固着されている最も上側の固着部７０が露出されることで、当該固着部７０のかしめ受部５０の接続部４９、若しくはかしめ部３０の連結部３１を切断して基板ボックス１２の開放を容易に行うことができ、一方、基板ボックス１２を密封する場合には、露出されている最も上側の固着部７０のすぐ下側の固着部７０のワンウェイネジ９を螺子込むことで基板ボックス１２の密封を容易に行うことができる。
【００６１】
また、真ん中の被破断部８４の右側板部構成部は、最も下側の被破断部８４の上端の前後両側部と２つの第３被破断部接続部８５３、８５３を介して接続されるとともに、当該被破断部８４の前側板部構成部は、前側板部８２１の上下方向の略中央部と一の第４被破断部接続部８５４を介して接続され、且つ、当該被破断部８４の後側板部構成部は、後側板部８２３の上下方向の略中央部と一の第５被破断部接続部８５５（図８参照）を介して接続されている。
そして、これら被破断部接続部８５どうしの間には、それぞれスリット８６が介在されている。即ち、右側板部８２２には、２つの第３被破断部接続部８５３、８５３どうしの間に介在された前後方向に長尺な右側第２スリット８６４が設けられ、前側板部８２１には、前側の第３被破断部接続部８５３と第４被破断部接続部８５４の間に介在された略「Ｌ」字状の前側第２スリット８６５が設けられ、後側板部８２３には、後側の第３被破断部接続部８５３と第５被破断部接続部８５５の間に介在された略「Ｌ」字状の後側第２スリット８６６が設けられている。
なお、右側第２スリット８６４の前側端部は、取付孔部８１ａに螺着される取付ネジ１１０のネジ頭部の外径に合わせて略円形状に形成されている。即ち、右側第２スリット８６４の前側端部の円形状部分は、下側の取付孔部８１ａの位置に合わせて配設されている。
【００６２】
また、最も下側の被破断部８４の右側板部構成部は、右側板部８２２の下端の前後両側部と２つの第６被破断部接続部８５６、８５６を介して接続されるとともに、当該被破断部８４の前側板部構成部は、前側板部８２１の下側部分と一の第７被破断部接続部８５７を介して接続され、且つ、当該被破断部８４の後側板部構成部は、後側板部８２３の下側部分と一の第８被破断部接続部（図示略）を介して接続されている。
そして、これら被破断部接続部８５どうしの間には、それぞれスリット８６が介在されている。即ち、右側板部８２２には、２つの第６被破断部接続部８５６、８５６どうしの間に介在された前後方向に長尺な略矩形状の右側第３スリット８６７が設けられ、前側板部８２１には、前側の第６被破断部接続部８５６と第７被破断部接続部８５７の間に介在された略「Ｌ」字状の前側第３スリット８６８が設けられ、後側板部８２３には、後側の第６被破断部接続部８５６と第８被破断部接続部（図示略）の間に介在された略「Ｌ」字状の後側第３スリット８６９が設けられている。
【００６３】
かしめ係止板部８３は、被覆部８２の後側板部８２３の左端部に連続して形成され、前後方向及び上下方向に対して略平行に延在する略矩形状に形成されている。
また、かしめ係止板部８３の前後方向の長さは、当該かしめ係止板部８３の先端部（前側端部）がかしめ受部５０の後端部よりも前側に配置される程度となっている。即ち、当該固着部カバー８０が基板ボックス１２に螺着された状態では、基板ボックス１２の開放の際に、第１ボックス構成部材２０を第２ボックス構成部材４０に対して右方向にスライドさせても、このままでは、かしめ係止板部８３の先端部がかしめ受部５０の後端部に引っ掛かった状態となって、第１ボックス構成部材２０の第２ボックス構成部材４０に対するスライドが規制される。つまり、基板ボックス１２を開放するには、かしめ係止板部８３がかしめ受部５０の後端部に引っ掛からないように固着部カバー８０を撓ませる必要があるため、基板ボックス１２の開放作業を容易に行うことができなくなる。
【００６４】
ＩＣタグ９０は、上下方向に略直交する断面が略「コ」字状に形成され（図３参照）、固着部カバー８０の表面に貼着されている。具体的には、ＩＣタグ９０は、前側板部８２１の大部分を被覆する前側被覆板部９１と、この前側被覆板部９１の右側端部に連設され、右側板部８２２の大部分を被覆する右側被覆板部９２と、この右側被覆板部９２の後側端部に連設され、後側板部８２３の大部分を被覆する後側被覆板部９３とを備えている。
【００６５】
前側被覆板部９１及び後側被覆板部９３は、左右方向及び上下方向に対して略平行に延在する略矩形状に形成されている。
また、前側被覆板部９１の左右方向の長さは、その先端部（左側端部）が固着部カバー８０の前側第１スリット８６２、前側第２スリット８６５、前側第３スリット８６８の左端部よりも左側に配置される程度となっている。同様に、後側被覆板部９３の左右方向の長さは、その先端部（左側端部）が固着部カバー８０の後側第１スリット８６３、後側第２スリット８６６、後側第３スリット８６９の左端部よりも左側に配置される程度となっている。
【００６６】
また、前側被覆板部９１の上下方向の長さは、その上端部が固着部カバー８０の前側第１スリット８６２の上端部と略等しい位置か、或いはわずかに下側に配置されるとともに、下端部が前側第３スリット８６８の下端部と略等しい位置か、或いはわずかに上側に配置される程度となっている。同様に、後側被覆板部９３の上下方向の長さは、その上端部が固着部カバー８０の後側第１スリット８６３の上端部と略等しい位置か、或いはわずかに下側に配置されるとともに、下端部が後側第３スリット８６９の下端部と略等しい位置か、或いはわずかに上側に配置される程度となっている。
【００６７】
右側被覆板部９２は、前側被覆板部９１及び後側被覆板部９３に対して略直交するように延在する略矩形状に形成されている。
また、右側被覆板部９２の内面（左側面）には、ＩＣチップ（図示略）に接続されたアンテナ部９４が配設されている。
ＩＣチップは、アンテナ部９４を介してデータを送受信するとともに固有の識別情報を記憶するものである。
【００６８】
アンテナ部９４は、例えば、当該右側被覆板部９２の対角線方向に沿って配設されており、固着部７０に対して不正を使用として、固着部カバー８０の長手方向の中途部分を破断すると、当該破断に伴ってアンテナ部９４が破断されるようになっている。
【００６９】
また、アンテナ部９４は、右側被覆板部９２が固着部カバー８０から剥がされることで部分的に破断するようになっている。具体的には、アンテナ部９４は、右側被覆板部９２に対する貼り付け強度を変えて、即ち、貼り付け強度の強い部分と弱い部分が混在するようにして貼着されている。また、アンテナ部９４を具備する右側被覆板部９２の固着部カバー８０の右側板部８２２の表面（右側面）に対する貼り付け強度は、右側被覆板部９２に対するアンテナ部９４の貼り付け強度の強い部分と弱い部分との中間程度となっている。
これにより、基板ボックス１２を開放する場合に、ＩＣタグ９０が固着部カバー８０から剥がされると、アンテナ部９４のうち、右側被覆板部９２の右側板部８２２に対する貼り付け強度よりも強い貼り付け強度で貼り付けられた部分は、右側被覆板部９２の内面に残存する一方で、右側被覆板部９２の右側板部８２２に対する貼り付け強度よりも弱い貼り付け強度で貼り付けられた部分は、右側被覆板部９２の内面から剥がれて右側板部８２２の表面に貼着されたままの状態となる。
【００７０】
なお、ＩＣタグ９０の固着部カバー８０に対する貼り付け方法、及びアンテナ部９４の右側被覆板部９２の内面に対する貼り付け方法は、如何なる方法であっても良く、貼り付け強度に応じて適宜任意に変更することができる。例えば、接着力が異なる複数の接着剤等を用いて、それぞれ貼り付けるようにしても良い。
【００７１】
以上のような構成を有する基板ボックス１２は、第１ボックス構成部材２０と第２ボックス構成部材４０を接合する際には、先ず、第１ボックス構成部材２０のボックススライド係合部を第２ボックス構成部材４０のボックススライド係合受部４６、…に嵌め込むようにする。これにより、第１ボックス構成部材２０の収納凹部２３の後端部分が第２ボックス構成部材４０の周囲壁４２に収容されるとともに、第１ボックス構成部材２０の上下の側壁部２２、２２が第２ボックス構成部材４０のスライド溝に嵌合する。
そして、この状態で、第１ボックス構成部材２０を左方向へスライドさせることで、ボックススライド係合部とボックススライド係合受部４６、…が係合するとともに、第１挿入係合部が第２挿入係合受部４７、４７に挿入されて係合した状態となる。
これにより、第１ボックス構成部材２０と第２ボックス構成部材４０とが接合した状態となる。
【００７２】
また、第１ボックス構成部材２０に設けられた係止部材２７は、上述のように第１ボックス構成部材２０を左方向にスライドさせる過程で係止片４８の右側面の斜面に当接し、さらに左方向にスライドすることで、係止部材２７が弾性変形して係止片４８の斜面に沿って案内される。そして、係止部材２７の係止部が係止片４８を乗り越えると、弾性変形していた係止部材２７が元の状態に復帰し、係止片４８の垂直な左端面に係止部材２７が係止される。
このように、係止部材２７の係止部が係止片４８を乗り越えた状態となるのは、ちょうど第１ボックス構成部材２０が第２ボックス構成部材４０と接合された状態となったときであって、この位置で係止部材２７が係止されることで、第１ボックス構成部材２０と第２ボックス構成部材４０とが接合された状態で保持されることとなる。
【００７３】
第１ボックス構成部材２０と第２ボックス構成部材４０とが接合した状態では、固着部７０をなすかしめ部３０、…とかしめ受部５０、…とが対向するように配され、固着可能な状態となる。そして、４つのかしめ部３０、…のうち、何れか（例えば、最も上側）のかしめ部３０のネジ孔に仮止めされているワンウェイネジ９を当該ネジ孔に対向配置されたかしめ受部５０のネジ穴に螺子込むことで第１ボックス構成部材２０と第２ボックス構成部材４０を固着する。
これにより、基板ボックス１２が密封された状態となる。
【００７４】
なお、ワンウェイネジ９による固着前であれば、係止部材２７を上側に引き上げるように弾性変形させて係止片４８による係止部の係止状態を解除し、第１ボックス構成部材２０を右方向へスライドさせることで、第１ボックス構成部材２０と第２ボックス構成部材４０の接合状態を解除することができる。
【００７５】
次に、基板ボックス１２に対する固着部カバー８０及びＩＣタグ９０の取付方法について説明する。
先ず、取付板部８１がかしめ部３０の前端部に引っ掛からないように、且つ、かしめ係止板部８３がかしめ受部５０の後端部に引っ掛からないように固着部カバー８０を撓ませて、取付板部８１の取付孔部８１ａと第１ボックス構成部材２０のネジ穴２８ｃとを連通させるように当該固着部カバー８０を基板ボックス１２の右側端部に配置する。
続けて、最も上側の被破断部８４の右側板部構成部のネジ挿通孔部８４ａ、及び真ん中の被破断部８４の右側板部構成部の右側第２スリット８６４の前側端部の円形状部分に取付ネジ１１０を挿通させて、取付孔部８１ａを介してネジ穴２８ｃに螺子込む。これにより、固着部カバー８０が第１ボックス構成部材２０に取り付けられた状態となる。
【００７６】
次に、固着部カバー８０を被覆するように、即ち、右側板部８２２を右側被覆板部９２で被覆し、且つ、前側板部８２１を前側被覆板部９１で被覆し、且つ、後側板部８２３を後側被覆板部９３で被覆するようにＩＣタグ９０を固着部カバー８０に貼り付ける。
【００７７】
一方、基板ボックス１２を開放する場合には、先ず、ＩＣタグ９０を固着部カバー８０から剥がした後、ワンウェイネジ９により固着されているかしめ受部５０の接続部４９、若しくはかしめ部３０の連結部３１を切断する。そして、かしめ係止板部８３がかしめ受部５０の後端部に引っ掛からないように固着部カバー８０を撓ませながら、第１ボックス構成部材２０を第２ボックス構成部材４０に対して右方向にスライドさせることにより、第１ボックス構成部材２０と第２ボックス構成部材４０の接合状態を解除する。
【００７８】
次に、基板ホルダ６０に対する基板ボックス１２の取付方法について説明する。
先ず、基板ホルダ６０のスライド係合受部６４１に基板ボックス１２のスライド係合部４１を挿入する。このとき、基板ボックス１２の底面（前側の面）により係合爪が前側に押し込まれて係止部６７が撓んだ状態となる。
【００７９】
次に、スライド係合部４１をスライド係合受部６４１に係合させるように基板ボックス１２を右方向にスライド移動させると、下側ネジ孔部２８８及び上側ネジ孔部２８９の切欠部２８ｂで螺合部を案内しながら右方向に移動していく。そして、切欠部２８ｂの奥側の湾曲した部分が螺合部に当接することで基板ボックス１２のスライドが停止して、下側ネジ孔部２８８及び上側ネジ孔部２８９のネジ孔２８ａの中心軸が螺合部のネジ穴の中心軸と前後にほぼ重なる位置に配置された状態となる。また、このとき、基板ボックス１２の左端部が係合爪６７２よりも右側に配置されて当該基板ボックス１２の底面による係合爪６７２の後側への押込みが解除された状態、即ち、係止部６７が撓んでいない通常状態へと復帰して、係合爪６７２が基板ボックス１２の左端部に係合した状態となる。さらに、このとき、基板ホルダ６０の挿入係合受部に開口部を介して基板ボックス１２の挿入係合部４３が挿入されて係合した状態となる。
その後、下側ネジ孔部２８８及び上側ネジ孔部２８９の各々のネジ孔２８ａを介して取付ネジを各螺合部のネジ穴に螺子込む。
【００８０】
一方、基板ホルダ６０から基板ボックス１２を取り外す場合、下側ネジ孔部２８８及び上側ネジ孔部２８９の各々のネジ孔２８ａ及び螺合部のネジ穴に螺合されている取付ネジを取り外す。
その後、係合爪６７２を後側に押し込むように係止部６７を撓ませて係合爪の係合を解除することで、係止部６７は基板ボックス１２の基板ホルダ６０からの取り外しを許容した状態となる。そして、基板ボックス１２を基板ホルダ６０に対して左側にスライド移動させることで、スライド係合部４１とスライド係合受部６４１の係合が解除されて、基板ホルダ６０から基板ボックス１２が取り外される。
【００８１】
以上のように、本実施形態の遊技機１００は、電子部品を搭載した遊技制御基板を基板ボックス１２に収納した遊技制御装置１０を備える遊技機１００であって、基板ボックス１２は、第１ボックス構成部材２０と、第２ボックス構成部材４０と、第１ボックス構成部材２０及び第２ボックス構成部材４０を固着するかしめ部３０、かしめ受部５０及びワンウェイネジ９を有する固着部７０とを備え、遊技制御装置１０は、固着部７０を被覆する固着部カバー８０と、アンテナ部９４と、アンテナ部９４を介してデータを送受信するとともに固有の識別情報を記憶するＩＣチップとを有するＩＣタグ９０とを備え、ＩＣタグ９０は、固着部カバー８０の少なくとも一部を被覆するとともに、固着部カバー８０の破断に伴ってアンテナ部９４が破断されるように固着部カバー８０に配設されている。
【００８２】
従って、固有の識別情報を記憶するＩＣチップを有するＩＣタグ９０は、固着部７０を被覆する固着部カバー８０を被覆するとともに、固着部カバー８０の破断に伴ってアンテナ部９４が破断されるように固着部カバー８０に配設されているので、固着部７０の表面に凹凸があっても遊技制御装置１０に対してＩＣタグ９０を適正に取り付けることができる。
また、固着部７０に対する不正に対しては、固着部７０を被覆する固着部カバー８０及びＩＣタグ９０により不正し難くすることができ、不正しようとして固着部カバー８０を破断するとＩＣタグ９０のアンテナ部９４が破断されるため不正の証拠を目視し易くなる。これにより、基板ボックス１２に対する不正を防止することができる。
【００８３】
また、固着部カバー８０は、遊技制御装置１０にネジ止めするための取付ネジ１１０が取り付けられる取付孔部８１ａを備え、ＩＣタグ９０は、取付孔部８１ａを被覆するように配設されている。
【００８４】
従って、ＩＣタグ９０は、遊技制御装置１０に固着部カバー８０をネジ止めするための取付ネジが取り付けられる取付孔部８１ａを被覆するように配設されているので、固着部カバー８０のみを遊技制御装置１０から外そうとしても取付孔部８１ａを被覆するＩＣタグ９０のアンテナ部９４が破断してしまうため、基板ボックス１２に対する不正を適正に防止することができる。
【００８５】
また、固着部７０は、４つ（少なくとも２つ）形成され、固着部カバー８０は、このうち、上側から２つの固着部７０、７０を被覆するとともに、破断される最も上側の被破断部８４を具備する被覆部８２を備え、当該被破断部８４は、破断されることで少なくとも２つの固着部７０、７０が露出されるように配設されている。
【００８６】
従って、固着部カバー８０は、少なくとも２つの固着部７０、７０を被覆するとともに、破断される被破断部８４を具備する被覆部８２を備え、被破断部８４は、破断されることで少なくとも２つの固着部７０、７０が露出されるように配設されているので、遊技制御基板の検査等のために基板ボックス１２を開放する場合に、被破断部８４が破断されることで遊技制御装置１０の上側の２つの固着部７０、７０、即ち、現に当該基板ボックス１２の固着に供されている一の固着部７０（例えば、最も上側の固着部７０等）と、固着解除後にその次の固着に供されることとなる他の固着部７０（例えば、上から２つめの固着部７０等）を露出させることができる。つまり、一回の被破断部８４の破断作業で一の固着部７０の固着解除準備と他の固着部７０の固着準備を行うことができ、当該基板ボックス１２の開放固着作業を効率良く行うことができる。
【００８７】
また、被覆部８２は、被破断部８４を複数具備するとともに、複数の被破断部８４、…の各々に対して、各被破断部８４と当該被破断部８４以外の部分とを接続する被破断部接続部８５が４つずつ設けられ、複数の被破断部接続部８５、８５どうしの間には、スリット８６が介在されている。
【００８８】
従って、被覆部８２は、被破断部８４を複数具備するとともに、複数の被破断部８４、…の各々に対して、各被破断部８４と当該被破断部８４以外の部分とを接続する被破断部接続部８５が４つずつ設けられ、複数の被破断部接続部８５、…どうしの間には、スリット８６が介在されているので、各被破断部８４の破断に際して、４つの被破断部接続部８５、…を切断するだけで良くなり、被破断部８４の破断作業を簡便にして当該基板ボックス１２の開放作業を効率良く行うことができる。
【００８９】
なお、本発明は、上記実施形態に限定されることなく、本発明の趣旨を逸脱しない範囲において、種々の改良並びに設計の変更を行っても良い。
例えば、固着部カバー８０の各被破断部８４に対して４つの被破断部接続部８５を設けるようにしたが、被破断部接続部８５の数は４つに限られるものではなく、適宜任意に変更することができる。
さらに、複数の被破断部８４、…どうしの間に被破断部接続部８５やスリット８６を介在させるようにして固着部カバー８０を構成したが、これに限られるものではなく、被破断部接続部８５やスリット８６を備えるか否かは適宜任意に変更することができる。
【００９０】
また、最も上側の被破断部８４が破断されると２つの固着部７０、７０を露出させるようにしたが、露出される固着部７０の数はこれに限られるものではなく、適宜任意に変更することができる。
さらに、上記実施形態では、固着部カバー８０として３つの被破断部８４、…を設けたものを例示したが、被破断部８４の数はこれに限られるものではなく、例えば、基板ボックス１２の固着部７０の数に応じて適宜任意に変更することができる。例えば、５つの固着部７０、…に対しては４つの被破断部８４、…を設け、また、６つの固着部７０、…に対しては５つの被破断部８４、…を設けるように、固着部７０の数に応じて被破断部８４の数を増減させるようにしても良い。
【００９１】
また、上記実施形態では、固着部カバー８０を基板ボックス１２の第１ボックス構成部材２０に取り付けるようにしたが、これに限られるものではなく、第２ボックス構成部材４０に取り付けるようにしても良い。即ち、基板ボックス１２を開放させる際の第１ボックス構成部材２０の第２ボックス構成部材４０に対するスライド方向を左方向として、固着部カバー８０のかしめ係止板部８３に取付孔部を配設して、取付孔部を介して第２ボックス構成部材４０の所定位置に形成されたネジ穴に取付ネジを螺子込むようにして、当該固着部カバー８０を基板ボックス１２に取り付けるような構成としても良い。
【００９２】
なお、本発明の遊技機１００は、遊技機として、前記実施の形態に示されるようなパチンコ遊技機に限られるものではなく、例えば、その他のパチンコ遊技機、アレンジボール遊技機、雀球遊技機、パチスロ遊技機などの制御基板を備える全ての遊技機に適用可能である。
【００９３】
また、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【００９４】
【図１】本発明を適用した一実施形態の遊技機に備わる遊技盤の一部を示す背面図である。
【図２】図１の遊技盤に備わる遊技制御装置を示す斜視図である。
【図３】図２の遊技制御装置から固着部カバー及びＩＣタグを取り外した状態を示す分解斜視図である。
【図４】図２の遊技制御装置からＩＣタグを取り外した状態を示す側面図である。
【図５】図３の固着部カバーを拡大して示す斜視図である。
【図６】図２の遊技制御装置の固着部カバーから被破断部を破断した状態を示す斜視図である。
【図７】図６の遊技制御装置を示す側面図である。
【図８】図６の固着部カバーを拡大して示す斜視図である。
【符号の説明】
【００９５】
１００  遊技機
１０    遊技制御装置（制御装置）
１２    基板ボックス
２０    第１ボックス構成部材
４０    第２ボックス構成部材
６０    基板ホルダ（取付部材）
７０    固着部
８０    固着部カバー（固着部被覆部材）
８４    被破断部
９０    ＩＣタグ
９４    アンテナ部
９      ワンウェイネジ
【図１】
0004964738.tif 000002
【図２】
0004964738.tif 000003
【図３】
0004964738.tif 000004
【図４】
0004964738.tif 000005
【図５】
0004964738.tif 000006
【図６】
0004964738.tif 000007
【図７】
0004964738.tif 000008
【図８】
0004964738.tif 000009